(57)【要約】【課題】本発明の梱包用外ケース２によれば，梱包体取出しの際，作業者が一人でも梱包ケースを押さえながら中身の被梱包体だけをスムーズに取り出す事ができる。【解決手段】ダンボール梱包外ケースの対向する側面には，各々の下端部に切込み線により囲まれた一対の切込み片が配設される。ダンボール梱包外ケースの開梱時，これらの切込み片を切込み線に沿って切出し、ダンボール梱包外ケース側面の外側に向けて展開し，略床面と平行に位置付ける。この切込み片がダンボール梱包外ケースの床面固定手段として形成されている。これらを足場として踏みつけることにより、ダンボール梱包外ケースを床面に固定し、内部の被梱包体を取出す。【選択図】図２
2004315005.tif 000002
【特許請求の範囲】
【請求項１】
内部に緩衝部材を備えた被梱包体を梱包するダンボール梱包ケースにおいて，梱包ケースの側面下端部に，下辺を中心に外側に向けて切り起し，梱包ケース底面と略平行な位置に展開可能な，３辺を切込み線で型取られた切込み片を有することを特徴とするダンボール梱包ケース。
【請求項２】
前記切込み片は，前記梱包ケースの互いに対向する側面に一対配設されたことを特徴とする請求項１記載のダンボール梱包ケース。
【請求項３】
前記対向する１対の切込み片は，梱包ケース底面における略対角線上に配設されていることを特徴とする請求項２記載のダンボール梱包ケース。
【請求項４】
前記切込み片の上辺略中央部には，略半円形の切込み線で型取られた第２の切込み片を有することを特徴とする請求項１記載のダンボール梱包ケース。
【発明の詳細な説明】
【０００１】
【発明が属する技術分野】
本発明はファクシミリ，プリンター等，比較的小型の被梱包体を梱包する際に使用される梱包ケースに関する。
【０００２】
【従来技術】
周知の如く，ファクシミリ，プリンター等の小型の被梱包体を梱包する際には，被梱包体とこれを保護する緩衝部材を一体として，梱包ケースの中に収納している。
係る梱包ケースは上面が開放しており，被梱包体の出し入れを上面から行う構造を開示している先行技術文献の典型としては，下記文献１を挙げることができる。
【０００３】
【特許文献１】
特開２００１−１０６２２２
【０００４】
【発明が解決しようとする課題】
上記特開２００１−１０６２２２公報に開示されている梱包ケースは，上面のふたを開け，被梱包体を上方へ取出す構造を備えている。
しかしながら，開梱時，被梱包体は梱包ケースと密着して収納されているため，被梱包体を取出す際に梱包ケースが被梱包体と一緒に持ち上がるため，目的とする梱包ケースからの被梱包体の取出しが，作業者一人では難しく場合によっては補助要員を必要とするといった問題がある。
【０００５】
本発明は上述した事実に鑑みてなされたものであり，その主たる技術課題は開梱時，一人で被梱包体を梱包ケースからスムーズに取り出す事のできる梱包ケースを提供することである。
【０００６】
【問題を解決するための手段】
本発明によれば，被梱包体を梱包する梱包ケースにして，
側面下端部に切込み線で型取られた切込み片を有し，開梱時，前記切込み片を切り起し，底面と平行に展開し，固定用足場とすることを特徴とするダンボール梱包ケースが提供される。
【０００７】
前記切込み片は，梱包ケースの互いに対向する側面に配設されており，更には，前記切込み片の相対位置は梱包ケース底面における略対角線上の位置に配設されていることが望ましい。この構成により，作業者が１人で，前記２つの切込み片を足で踏み付け押さえることで，梱包ケースをバランス良く押えることができ，被梱包体を梱包ケースより取り出す作業性をスムーズにする効果が得られる。
【０００８】
【発明の実施形態】
以下，本発明に従って構成された梱包ケースの好適実施形態を図示している添付図面を参照して，更に詳細に説明する。
【０００９】
図１乃至図５には，本発明に従って構成された梱包ケースの好適実施形態が図示されている。図１には本発明に係る梱包形態の代表的構成を示すものである。１は被梱包体，２は梱包ケース（ダンボール梱包ケース），３は中枠，４は機械カバー，５は底緩衝材，６は上緩衝材からなるこれら梱包部材により，例えばプリンター（被梱包体）を梱包して輸送するものである。前記２の梱包ケースには本発明の特徴である切込み片（固定片）２１が配設されている。
【００１０】
前記梱包ケース２はダンボール等の材質よりなる。その展開図を図３に示す。これらを折り曲げることにより，梱包ケース２を形成する。底面に相当する部分は，テープ等で封印される。上面に相当する部分は，開口部を形成し，４枚のフラッパー２３が設けられており，内ぶた，外ぶたとして梱包ケース２を閉じ，梱包完了時にテープ等で封印される。
【００１１】
前記梱包ケース２の対向する一対の側面下端部には，前記切込み片（固定片）２１が配設されている。開梱時，底面と平行に展開した状態の斜視図を図２に示す。略コ字状の切込み線２１ａ（図３拡大図参照）に沿って，この切込み線２１ａに囲まれた切込み片２１を外側に向けて切り起こし展開可能になっている。
この状態で開梱作業者は，梱包ケース２を両足で跨ぎ，前記切込み片２１を踏み付け固定することが出来る。
【００１２】
図３は前記切込み片２１の拡大図を示している。
上記切込み線２１ａは，１箇所もしくは数箇所を繋げている。これにより通常輸送時は，梱包ケース２の密封状態を維持し，外部からのゴミ，埃等の進入を防止している。そして開梱時に簡単に切込み片２１を切り起こし外側に展開することが可能となる。
また，前記切込み線２１ａをミシン目で形成することにより，梱包ケース２の側面の機械強度を損なうことなく，また，梱包ケース２の密閉度も高めることができ，好適である。
更に，前期切り込み片２１の略コ字形状の上辺中央付近に，第２の切込み線２２ａを入れることにより，別途半円状の第２の切込み片２２を形成し，この第２の切込み片２２を上辺部を支点として梱包ケース２の内側へ押し込むことにより，指を引掛ける穴を形成し，前記切込み片２１を外側に切取り，引き出すことを容易にすることができる。
【００１３】
次に，梱包ケース２の開梱動作及び，プリンター本体（被梱包体）１の取出し作業について説明する。
【００１４】
まず，足場となる固定片（切込み片）２１の作成を行う。
図４に示すように，梱包ケース２の側面に設けられた略コ字状の切込み線２１ａに囲まれた切込み片２１の上辺に設けられた前記第２の切込み片２２を，梱包ケース２の内側へ指で押し込み，引出し穴を形成する。
【００１５】
続いて，上記引出し穴に指を引っ掛け，前記切込み片２１を梱包ケース２の外側に向けて引き起こし梱包ケース２の底面と略同一平面上に位置付けるまで展開し固定片２１を作成する。
【００１６】
次に，梱包ケース２の上面のテープを剥がし，フラッパー２３を開き，梱包取り出し口を開放する。その状態で梱包ケース２内にあるプリンター本体１の上部に配設された梱包部材，付属品を上から順番に取り出し，プリンター本体１の上面を開放する。
具体的には，トレイ８，付属品（説明書、保証書等）７，上面緩衝材６，中枠３の順に上方から取り出す。
【００１７】
この時点で作業者は，梱包ケース２を跨ぎ，前記対角線上に配設された２ヶ所の切込み片（固定片）２１を両足で踏付け，梱包ケース２を床面に固定する。この状態で外ケース２内のプリンター本体１を両手で持ち上げ，梱包ケース２から取り出す。
【００１８】
上記作業において，プリンター本体１を梱包ケース２から取り出す際，それにつれて梱包ケース２も持ち上がろうとするが，前記切込み片（固定片）２１を足で踏みつけ床面に固定しているため，プリンター本体１のみが持ち上がり，スムーズに梱包ケース２から取り出すことができる。
このように，上記一連の開梱作業を，作業者１人でスムーズに行うことができる。
【００１９】
上記実施の別形態として，切込み片２１の形状を図５に示す。これは，前記第２の切込み片２２を，切込み片２１の外形の外側に張出させたものであり，切出し展開時には，この第２の切込み片２２を指で摘むようにして，引き出すことによりその操作性を良くする効果が得られる。
【００２０】
【発明の効果】
以上説明したように本発明は，梱包ケースの側面に切込み片を設けることにより，梱包ケースの開梱作業において，切込み片を外側に展開し，固定用足場にすることで，梱包ケースを足で  固定することができ，被梱包体の取り出し作業において，作業者１人でも簡単に，効率良く，確実に行うことができる。
【図面の簡単な説明】
【図１】本発明にかかる梱包部材の構成を示す斜視図
【図２】本発明にかかる梱包外ケースの  開梱時の形態を示す斜視図
【図３】本発明にかかる梱包外ケースの展開図及び切込み片の拡大図
【図４】本発明にかかる梱包外ケースの切込み片の形態を示す斜視図
【図５】図４の別の形態を示す斜視図
【符号の説明】
１：プリンター（被梱包体）
２：梱包外ケース
３：中枠
４：機械カバー
５：底緩衝部材
６：上緩衝部材
７：付属品（取扱い説明書，保証書等）
８：トレイ
２１：切込み片（固定片）
２１ａ：切込み線
２２：第２の切込片
２２ｂ：第２の切込み線
２３：フラッパー
【図１】
2004315005.tif 000003
【図２】
2004315005.tif 000004
【図３】
2004315005.tif 000005
【図４】
2004315005.tif 000006
【図５】
2004315005.tif 000007